(57)【特許請求の範囲】
【請求項１】
撹拌槽に投入された汚水に凝固剤を投入して汚水含有成分を固形物にして沈殿させ、該沈殿を除去して汚水の浄化をするにあたり、撹拌槽に、該撹拌槽内に投入される水中ポンプと、該水中ポンプから供給される汚水流を受けて駆動する水圧モーターと、該水圧モーターの駆動力を受けて凝固剤を撹拌槽に投入する凝固剤投入器と、前記水圧モーターに供給された汚水を撹拌槽に戻して該撹拌槽の撹拌をするノズルとを備えて構成されることを特徴とする汚水の浄化装置。
【請求項２】
請求項１において、撹拌槽は、水圧モーターからの循環汚水流によって撹拌されることを特徴とする汚水の浄化装置。
【請求項３】
請求項１または２において、撹拌槽で凝固剤が投入された汚水が流れ込んで汚水含有成分を固形物にして沈殿させるための沈殿槽を備えたものとし、該沈殿槽の汚水流れ込み口には、流れ込む汚水により撹拌流を与えて汚水の撹拌をする二次撹拌槽が形成されていることを特徴とする汚水の浄化装置。
【請求項４】
請求項３において、二次撹拌槽には、該二次撹拌槽に貯留した沈殿物を含む汚水の一部を撹拌槽に戻すための戻し流路が形成されていることを特徴とする汚水の浄化装置。
【請求項５】
請求項４において、戻し流路は、水圧モーターから排出される汚水流によって負圧を受けて二次撹拌槽内の汚水を戻すように構成されていることを特徴とする汚水の浄化装置。
【発明の詳細な説明】
【０００１】
【発明の属する技術分野】
本発明は、工事現場や建築現場で発生する汚水の浄化装置の技術分野に属するものである。
【０００２】
【従来技術】
一般に、建築現場等では、溜まった雨水や地下水等を排出する必要があるが、このとき泥土や土砂等が混じって汚水となり、実際にはこの汚水の排出を行うことになる。そして従来は、水中ポンプで汚水をそのまま側溝等に排出していた。この結果、側溝に汚水が流れ込んで側溝が汚れたり詰まったりするだけでなく、これが河川に流れ込んで河川汚濁等の公害にもなりその対策が要求されている。そのため近年、汚水に凝固材を混入して汚水含有成分を固形物にして沈殿させ、その上澄みを排出して沈殿物を回収するようにした試みが開発されている。
【０００３】
【発明が解決しようとする課題】
しかしながらこの試みは、凝固材の投入工程、撹拌工程、沈殿工程を経る必要があって手間がかかるだけでなく大掛かりな設備を必要とし、この結果、処理コストが割り高で、電源も大容量のものが必要であるなどの問題が残されており、ここに本発明の解決すべき課題がある。
【０００４】
【課題を解決するための手段】
本発明は、上記の如き実情に鑑みこれらの課題を解決することを目的として創作されたものであって、請求項１の発明は、撹拌槽に投入された汚水に凝固剤を投入して汚水含有成分を固形物にして沈殿させ、該沈殿を除去して汚水の浄化をするにあたり、撹拌槽に、該撹拌槽内に投入される水中ポンプと、該水中ポンプから供給される汚水流を受けて駆動する水圧モーターと、該水圧モーターの駆動力を受けて凝固剤を撹拌槽に投入する凝固剤投入器と、前記水圧モーターに供給された汚水を撹拌槽に戻して該撹拌槽の撹拌をするノズルとを備えて構成されることを特徴とするものである。そしてこのようにすることにより、凝固剤投入の動力源を、撹拌槽内に投入される水中ポンプから得ることができて装置の兼用化、簡略化が計れることになる。
請求項２は、請求項１において、撹拌槽は、水圧モーターからの循環汚水流によって撹拌されることを特徴とする汚水の浄化装置である。
請求項３の発明は、請求項１または２において、撹拌槽で凝固剤が投入された汚水が流れ込んで汚水含有成分を固形物にして沈殿させるための沈殿槽を備えたものとし、該沈殿槽の汚水流れ込み口には、流れ込む汚水により撹拌流を与えて汚水の撹拌をする二次撹拌槽が形成されていることを特徴とする汚水の浄化装置である。このようにした場合には、撹拌槽から沈殿槽への汚水の流れ込みにより沈殿槽の汚水が乱されることを、二次撹拌槽を利用して防止できて、良好な沈殿成長を達成できることになる。
請求項４の発明は、請求項３において、二次撹拌槽には、該二次撹拌槽に貯留した沈殿物を含む汚水の一部を撹拌槽に戻すための戻し流路が形成されていることを特徴とする汚水の浄化装置である。このようにすることで、撹拌槽での沈殿成長を促し得ることになって、沈殿成長の促進を図ることができる。
請求項５の発明は、請求項４において、戻し流路は、水圧モーターから排出される汚水流によって負圧を受けて二次撹拌槽内の汚水を戻すように構成されていることを特徴とする汚水の浄化装置である。このようにしたものでは、沈殿が成長した汚水を撹拌槽に戻すことが、水中ポンプの駆動力を有効に利用してできることになる。
【０００５】
【発明の実施の形態】
次ぎに、本発明の実施の形態を図面に基づいて説明する。図面において、１は泥水浄化装置であって、該泥水浄化装置１は、撹拌槽２、沈殿槽３を備えて構成されている。撹拌槽２は、槽内部に水中ポンプ４が配される（投入される）一方で、天井部には、羽根車５ａを備えて構成される水圧モーター５が設けられている。該水圧モーター５の汚水流入口５ｂは、水中ポンプ４の排出口（吐出口）４ａ、配管６を介して連通連結されていて、水中ポンプ４の駆動に基づいて流入した汚水の流れ（汚水流）を受けて羽根車５ａが回転して汚水の撹拌駆動がなされ、排出口５ｃに連通連結した排出ノズル７から前記撹拌された汚水が再び撹拌槽２に排出される構成になっており、この排出される汚水の流れによって撹拌槽２内のさらなる撹拌をするようになっている。さらに前記羽根車５ａの回転軸５ｄは、水圧モーター５のケーシング５ｅ外に引出されている。
【０００６】
８は水圧モーター５に隣接する状態で配される凝固剤投入器であって、該凝固剤投入器８は、凝固剤（本実施の形態では一般に市販されている粉状体のものが用いられるが、液体状のものであっても勿論採用できる）が貯留される凝固剤タンク８ａ、該投入された凝固剤を取出して撹拌槽２に繰出し投入すべく回転ローラから構成された繰出し体８ｂとを備えて構成されるが、繰出し体８ｂの回転軸８ｃは、前記羽根車回転軸５ｄのケーシング５ｅ外に引出された引出し部に刻設のギア５ｆに、中間減速ギア９を介して連動連結されている。そして繰出し体８ｂは前記羽根車５ａの回転に連動して低速で回転することになり、これに連繋して周面に刻設した繰出し溝８ｄに入り込んだ凝固剤が撹拌槽２内に繰出し投入される構成になっている。さらに凝固剤タンク８ａには、投入された凝固剤をかき混ぜるためのアジテータ８ｅが設けられるが、該アジテータ８ｅの回動軸８ｆは、繰出し体の回転軸８ｃに対してチエン伝動機構８ｇを介して連動連結されており、これによってアジテータ８ｅも羽根車５ａの回転に連動して回転する設定になっている。尚、凝固剤投入器８には、凝固剤の投入を調整するためのシャッタ８ｈが設けられており、該シャッタ８ｈにより凝固材投入を中止するところまで調整できる設定になっている。
また、撹拌槽２には、後述のオーバーフロー口１０ａよりも高位に位置して工事現場等からの汚水が流入するコック付きの流入口２ａ、底面には排出ドレン２ｂがそれぞれ設けられている。
【０００７】
一方、前記沈殿槽３は、撹拌槽２とは隔壁１０を介して隣接するが、該隔壁１０にはオーバーフロー口１０ａが形成されており、該オーバーフロー口１０ａから撹拌槽２内の凝固剤が投入された汚水が沈殿槽３に流入するようになっている。この沈殿槽３には、前記オーバーフロー口１０ａから流入した凝固剤入り汚水を受ける二次撹拌槽３ａが形成されている。つまりこの二次撹拌槽３ａは、前記撹拌槽２からオーバーフロー口１０ａを経た汚水が旋回する状態で流れてきて撹拌流（旋回流）を生じてゆっくりと再撹拌され、沈殿成長を一段と促進させる効果を生じると共に、さらに凝固剤入り汚水が直接沈殿槽３内に流れ込んで沈殿過程の汚水が乱れてしまう（撹拌する）のを防止するよう配慮されているが、この二次撹拌槽３ａ内には戻し配管１１の一端部が配されている。該戻し配管１１の他端部は、前記排出ノズル７に負圧を受ける状態で連結（霧吹きの原理、ベンチュリ管）されており、これによって、沈殿物の一部を撹拌槽２に戻す構成になっている。
沈殿槽３には、沈殿促進板３ｂ、仕切板３ｃがそれぞれ設けられるが、仕切板３ｃで仕切られた部位には、オーバーフロー口１０ａよりは低位で、二次撹拌槽３ａの周縁部と略同じ高さに位置するよう配した上澄液排出ドレン３ｄが設けられる一方、底面には、沈殿槽３の底部に溜まった沈殿を排出するための沈殿排出ドレン３ｅ、さらに上澄液底部の排出をする補助ドレン３ｆが設けられている。また、沈殿排出ドレン３ｅは、配管１２を介して脱水機１３に連通連結され、ここで沈殿に含まれる水分を脱水処理して沈殿の回収をするようになっている。
【０００８】
叙述の如く構成された本発明の実施の形態において、工事現場で発生した汚水を撹拌槽２に投入した状態で水中ポンプ４を駆動すると、撹拌槽２内の汚水は水圧モーター５を駆動した後、再び撹拌槽２に排出される。しかも撹拌槽２では、ノズル７から排出される汚水流の水圧を受けて撹拌されるため、格別な撹拌手段が不用になって構造の簡略化が計れる。
そして沈殿槽３では固形物が底側に沈殿し、上澄腋がドレンから排出され、これによって汚濁成分が効率良く除去された水が外部排出されることになって公害発生を低減できることになる。また、発生した沈殿は、必要において水を除去したものを回収することができる。
【０００９】
しかもこのものでは、凝固剤を投入する凝固剤投入装置８の駆動源を、水圧モーター５の駆動から受けているため、凝固剤投入器専用の駆動源が不用になるが、水圧モーター５は水中ポンプ４からの水圧を受けて駆動するため、本装置としては、該水中ポンプ４、水圧モーター５、そして凝固剤投入器８がそれぞれ作動することになるが、水圧モーター５、凝固剤投入器８は、水中ポンプ４からの汚水流の水圧を受けて作動することになって、駆動源が水中ポンプ４一つに集約され、構造の簡略化が計れる。
【００１０】
そのうえこのものでは、オーバーフロー口１０ａから沈殿槽３に流れ落ちる汚水は、一旦、二次撹拌槽３ａに受けられてから沈殿槽３に供給されるから、沈殿槽３に直接流れ落ちるもののように流れ落ちる際の水の勢いによって沈殿槽３内が乱れて折角沈殿した固形物（沈殿物）が浮き上がったりしてしまうことを回避している。しかもこのものでは、二次撹拌槽３ａに流れ落ちた沈殿物の一部が、戻し配管１１により撹拌槽２に戻されることになるが、この撹拌槽２に戻された沈殿物が種となって汚水に含有する成分の沈殿生成を促進することになって沈殿生成率が向上し、浄化装置１から排出される上澄液の清浄化が促進される。
【図面の簡単な説明】
【図１】汚水浄化装置の断面正面図である。
【図２】水圧モーター、凝固剤投入器の要部平面図である。
【図３】凝固剤投入器の側面図である。
【符号の説明】
１    汚水浄化装置
２    撹拌槽
３    沈殿槽
３ａ  二次撹拌槽
４    水中ポンプ
５    水圧モーター
８    凝固剤投入器
１０ａ  オーバーフロー口
１１    戻し配管
【図１】
0004248101.tif 000002
【図２】
0004248101.tif 000003
【図３】
0004248101.tif 000004